(57)【特許請求の範囲】
【請求項１】
無線通信方法であって、
下りデータのチャネルの割り当てを示す割当情報を受信し、
前記下りデータの受信状況を示す制御情報、下りリンクの通信品質を示す品質情報の少なくとも１つを、上り制御チャネルにより送信し、
前記制御情報と前記品質情報は、前記制御情報、前記品質情報のそれぞれを送信するために割り当てられた所定のリソースに対応付けられた上り制御チャネルにより送信される
ことを特徴とする無線通信方法。
【請求項２】
下りデータのチャネルの割り当てを示す割当情報を受信する第一の手段と、
前記下りデータの受信状況を示す制御情報、下りリンクの通信品質を示す品質情報の少なくとも１つを、上り制御チャネルにより送信する第二の手段と
を備え、
前記第二の手段は、前記制御情報、前記品質情報のそれぞれを送信するために割り当てられた所定のリソースに対応付けられた上り制御チャネルにより、前記制御情報および前記品質情報の少なくとも１つを送信する
ことを特徴とする移動局。
【請求項３】
移動局を含む無線通信システムであって、
前記移動局は、
下りデータのチャネルの割り当てを示す割当情報を受信する第一の手段と、
前記下りデータの受信状況を示す制御情報、下りリンクの通信品質を示す品質情報の少なくとも１つを、上り制御チャネルにより送信する第二の手段と
を備え、
前記第二の手段は、前記制御情報、前記品質情報のそれぞれを送信するために割り当てられた所定のリソースに対応付けられた上り制御チャネルにより、前記制御情報および前記品質情報の少なくとも１つを送信する
ことを特徴とする無線通信システム。
【請求項４】
基地局であって、
下りデータのチャネルの割り当てを示す割当情報を送信する送信手段と、
前記下りデータの受信状況を示す制御情報、下りリンクの通信品質を示す品質情報の少なくとも１つを、上り制御チャネルにより移動局から受信する受信手段と
を備え、
前記受信手段は、前記制御情報、前記品質情報のそれぞれを送信するために割り当てられた所定のリソースに対応付けられた上り制御チャネルにより、前記制御情報および前記品質情報の少なくとも１つを受信する
ことを特徴とする無線通信方法。
【発明の詳細な説明】
【技術分野】
【０００１】
無線通信システムにおける制御信号の送信方法及びその受信法に関する。
【背景技術】
【０００２】
移動通信における上りリンクにおいて、上りデータを送信しない端末も下りデータを受信した場合は、下りリンクの情報を誤り無く受信できたか否かを示す肯定応答/否定応答(Acknowledgement/Negative Acknowledgement、以下では「ＡＣＫ／ＮＡＣＫ」と記述する。)や、下りリンクの通信品質を示す伝搬路品質指示情報(Channel Quality Indicator、以下「ＣＱＩ」と記述する。)等を、上り制御チャネルを用いて送信する。
【０００３】
現在３ＧＰＰ(３rd Generation Partnership Project)で標準化が進められているＬＴＥ(Long Term Evolution)では、上り制御チャネル(Physical Uplink Control Channel:以下、ＰＵＣＣＨ)を用いてＡＣＫ／ＮＡＣＫ、ＣＱＩを送信する際、ＡＣＫ／ＮＡＣＫを送信する場合、ＣＱＩを送信する場合、ＡＣＫ／ＮＡＣＫとＣＱＩの両方を送信する場合で制御信号のフォーマットが異なる。
【０００４】
図１には(a)ＡＣＫ／ＮＡＣＫのみ送信時のフォーマット、(b)ＣＱＩのみ送信時のフォーマット、(c)ＣＱＩとＡＣＫ／ＮＡＣＫ送信時のフォーマットの例を示している。
【０００５】
１スロットは０.５msで７個のLong Block(ＬＢ)から構成され、１送信時間間隔(ＴＴＩ:Transmission Time Interval)は２スロットから構成される。尚、ＴＴＩとは、物理層とＭＡＣ層との間で一度に転送される複数のブロックの時間間隔である。図１から分かるように、ＣＱＩとＡＣＫ／ＮＡＣＫを同時に送信する場合は、ＡＣＫ／ＮＡＣＫ送信の場合やＣＱＩ送信する場合に対し、ＣＱＩ、ＡＣＫ／ＮＡＣＫに割り当てられるLong Blockの数及び位置が異なる。
【０００６】
図２は、ＬＴＥのスロット構成例である。ＰＵＣＣＨはシステム帯域の両端に多重される。実際には、ＰＵＣＣＨ部分には図１のようにＰＵＣＣＨを復調するためのリファレンス信号(ＲＳ:Reference Signal)も含まれるが、図２では省略している。
【０００７】
ＰＵＣＣＨとそれを復調するためのリファレンス信号には、ＣＡＺＡＣ(Constant Amplitude Zero Auto-Correlation)系列が用いられる。ＣＡＺＡＣ系列は、時間領域及び周波数領域において一定振幅かつ位相差０以外の自己相関値が０となる性質を有する。ＣＡＺＡＣ系列の一例として、次式であらわされるZadoff-Chu系列が挙げられる(非特許文献１参照)。
【数１】
0005569702.tif 000002
【０００８】
ＰＵＣＣＨのユーザ多重法としては、周波数分割多重(ＦＤＭ:Frequency Division Multiplexing)と符号多重(ＣＤＭ：Code Division Multiplexing)がある(非特許文献２参照)。ＣＤＭでは、各ユーザが同一のＣＡＺＡＣ系列にユーザ固有のサイクリックシフトを施した系列を用いる(非特許文献３参照)。これにより、ユーザ間の直交性が保たれる。
【０００９】
図３はサイクリックシフトを説明するための図である。単位サイクリックシフト量をΔT(図でロングブロック長/６)とした場合、サイクリックシフト系列i(i=１,２,３,４,５,６)は、基本系列の最後部ΔT×(i-１)を先頭につけかえてシフトすることで生成される。ユーザ間の直交性を保持するためにはΔTは伝搬路の最大遅延パスより大きい必要が有る。
【００１０】
ＡＣＫ／ＮＡＣＫは送信情報量が小さい(基本的には１ビット)ため、更に時間軸上のブロック拡散を施すことが可能であり、これによりユーザ多重数を増加する(非特許文献４参照)。図４は、ブロック拡散の例を示す図である。図では、リファレンス信号にLong Blockが３個、ＡＣＫ／ＮＡＣＫにLong Blockが４個であるため、リファレンス信号は符号長３、ＡＣＫ／ＮＡＣＫは符号長４のユーザ固有の直交符号でブロック拡散される。可能多重なユーザ数は、符号長と同一であり、ここでは、符号長の短いリファレンス信号の系列長から最大３となる。従って、サイクリックシフトで多重可能なユーザ数が６であるとすると、この３倍の１８ユーザを同一周波数内で多重できる。
【００１１】
ＡＣＫ／ＮＡＣＫを送信するＰＵＣＣＨのリソースについては、下りL１/L２制御信号のindexと１対１に対応付け、シグナリングは行わないことが合意されている。下りデータのリソース割り当てをシグナリングするDL grantのindexと１対１に対応付けることが標準化でのWorking assumptionとなっている。
【００１２】
図５は下りのフレームフォーマット例である。最初の１〜３(図では２)ＯＦＤＭシンボルがL１/L２制御信号であり、下りSharedチャネルの割り当て情報を含むDownlink grantと上りSharedチャネルの割り当て情報を含むUplink grantより構成される。図５のDownlink grant#０〜#Nは、それぞれ、DL Data#０〜#Ｎへの割り当てリソース情報と、これを受信すべきユーザの識別子を含んでいる。
【００１３】
図６はDownlink grantとＰＵＣＣＨの対応例である。尚、PUCCHのリソースにindexを付与することは現在行われていないが、以下の説明ではPUCCHのリソースにindexを付与して説明する。
【００１４】
Downlink grantを送信するリソースは、ＣＣＥ(Control Channel Element)から構成され、ＣＣＥのindexとＰＵＣＣＨのindexとが１対１に対応付けられる。これによって、ＰＵＣＣＨのリソース割り当てにシグナリングを用いる必要がなく、シグナリングオーバヘッドを削減することが可能となる。
【００１５】
但し、ＣＱＩとＡＣＫ／ＮＡＣＫとの同時送信において、下りのL１/L２制御信号における下りデータリソース割り当て情報を、端末が検出できなかった場合、ＡＣＫ／ＮＡＣＫは送信されず、ＣＱＩが送信されることになる。この場合、基地局では、ＣＱＩとＡＣＫ／ＮＡＣＫとが送信されてくると認識して、ＣＱＩとＡＣＫ／ＮＡＣＫとの同時送信時のフォーマットで復調する。しかしながら実際には、ＣＱＩのみが送信され、ＣＱＩのみの送信時と、ＣＱＩとＡＣＫ／ＮＡＣＫとの同時送信時とではフォーマットが異なるため、基地局は、ＡＣＫ／ＮＡＣＫ及びＣＱＩを誤判定するおそれがある。
【００１６】
これを解決するために、ＣＱＩ送信のフォーマットをＡＣＫ／ＮＡＣＫの有無によらず固定とし、１端末に２つのリファレンス系列を割り当て、ＡＣＫ／ＮＡＣＫをどちらのリファレンス系列を選択したかにより通知する方法が提案されている(非特許文献５参照)。
【先行技術文献】
【非特許文献】
【００１７】
【非特許文献１】B. M. Popovic, “Generalized Chirp-Like Polyphase Sequences with Optimum Correlation Properties,” IEEE Transactions on Information Theory, Vol.38, No.4, pp1406-1409, July 1992.
【非特許文献２】3GPP R1-063448 Qualcomm, ”Structure and Link Analysis UL Control Signaling,” November 2006.
【非特許文献３】3GPP R1-060925 Texas Instruments, “Comparison of Proposed Uplink Pilot Structures For SC-OFDMA, ”March 2006.
【非特許文献４】3GPP R1-071293 Qualcomm Europe, “Link Analysis and Multiplexing Capability for UL ACK,” March 2007.
【非特許文献５】3GPP R1-072311 Nokia, “L Multiplexing of ACK/NACK and CQI from the same UE,” May 2007.
【発明の概要】
【発明が解決しようとする課題】
【００１８】
しかしながら、使用できるリファレンス系列数は限られており、１基地局に２つのリファレンス系列を割り当てると、セル間干渉低減のために、基地局毎に異なるリファレンス系列を割り当てるセルプランニングが困難になるという問題がある。
【００１９】
そこで本発明が解決しようとする課題は、ＣＱＩとＡＣＫ／ＮＡＣＫとを同時送信する際と、ＣＱＩを送信する際とで、端末が送信に用いる制御チャネルのリソースを変え、どちらのリソースで送信されたかを基地局で検出することにより、上記の問題を解決する技術を提供することにある。
【課題を解決するための手段】
【００２０】
上記課題を解決するための本願発明は、無線通信方法であって、下りデータのチャネルの割り当てを示す割当情報を受信し、前記下りデータの受信状況をしめす制御情報、下りリンクの通信品質を示す品質情報の少なくとも１つを、上り制御チャネルにより送信し、前記制御情報と前記品質情報は、前記制御情報、前記品質情報のそれぞれを送信するために割り当てられた所定のリソースに対応付けられた上り制御チャネルにより送信されることを特徴とする。
【００２１】
上記課題を解決するための本願発明は、下りデータのチャネルの割り当てを示す割当情報を受信する第一の手段と、前記下りデータの受信状況を示す制御情報、下りリンクの通信品質を示す品質情報の少なくとも１つを、上り制御チャネルにより送信する第二の手段とを備え、前記第二の手段は、前記制御情報、前記品質情報のそれぞれを送信するために割り当てられた所定のリソースに対応付けられた上り制御チャネルにより、前記制御情報および前記品質情報の少なくとも１つを送信することを特徴とする。
【００２２】
上記課題を解決するための本願発明は、移動局を含む無線通信システムであって、前記移動局は、下りデータのチャネルの割り当てを示す割当情報を受信する第一の手段と、前記下りデータの受信状況を示す制御情報、下りリンクの通信品質を示す品質情報の少なくとも１つを、上り制御チャネルにより送信する第二の手段とを備え、前記第二の手段は、前記制御情報、前記品質情報のそれぞれを送信するために割り当てられた所定のリソースに対応付けられた上り制御チャネルにより、前記制御情報および前記品質情報の少なくとも１つを送信することを特徴とする。
【００２３】
上記課題を解決するための本願発明は、基地局であって、下りデータのチャネルの割り当てを示す割当情報を送信する送信手段と、前記下りデータの受信状況を示す制御情報、下りリンクの通信品質を示す品質情報の少なくとも１つを、上り制御チャネルにより移動局から受信する受信手段とを備え、前記受信手段は、前記制御情報、前記品質情報のそれぞれを送信するために割り当てられた所定のリソースに対応付けられた上り制御チャネルにより、前記制御情報および前記品質情報の少なくとも１つを受信することを特徴とする。
【発明の効果】
【００２４】
信号の送信フォーマットに応じて、移動局が制御チャネルのリソースを選択して信号を送信し、基地局がどの制御チャネルのリソースで信号が送信されてきたのかを検出して再生（復調）することにより、正しいフォーマットで制御チャネルで送信された信号を再生（復調）することが可能となる。
【図面の簡単な説明】
【００２５】
【図１】図１は、ＬＴＥにおけるＰＵＣＣＨのフォーマットを説明するための図である。
【図２】図２は、ＬＴＥにおける上りリンクの物理チャネル構成例である。
【図３】図３は、ＣＡＺＡＣ系列にサイクリックシフトを付加した場合の模式図である。
【図４】図４は、ＰＵＣＣＨのスロット構成の一例を示すフォーマット図である。
【図５】図５は、ＬＴＥにおける下りリンクの物理チャネル構成例である。
【図６】図６は、ＬＴＥにおけるＰＤＣＣＨのdownlink grantとＰＵＣＣＨの対応例である。
【図７】図７は、本発明の第一の実施例による移動無線システムにおける基地局の概略的構成を示すブロック図である。
【図８】図８は、本発明の第一の実施例による移動無線システムにおける移動局の概略的構成を示すブロック図である。
【図９】図９は、本発明の第一の実施例による制御情報を送信するＰＵＣＣＨ及び制御情報の種類を決定する移動局の制御部の動作フローチャートである。
【図１０】図１０は、本発明の第一の実施例による再生するＰＵＣＣＨ及び制御情報の種類を決定する基地局のＰＵＣＣＨ再生部の動作フローチャートの第一例である。
【図１１】図１１は、本発明の第一の実施例による再生するＰＵＣＣＨ及び制御情報の種類を決定する基地局のＰＵＣＣＨ再生部の動作フローチャートの第二例である。
【図１２】図１２は、本発明の第二の実施例による移動無線システムにおける移動局の概略的構成を示すブロック図である。
【図１３】図１３は、本発明の第二の実施例によるDownlink grantを送信するＰＤＣＣＨの割り当てを決定する基地局の制御部の動作フローチャートである。
【図１４】図１４は、PDCCHのCCEとPUCCHの対応例を示すものである。
【発明を実施するための形態】
【００２６】
まず、本発明の概要について説明する。
【００２７】
基地局(Node Bともいう)は、下りデータを割り当てるユーザ端末に下りL１/L２制御信号のDownlink grantで下りデータのチャネルの割り当て情報を通知する。また、ＣＱＩの周期的なレポートの要求をhigher layerシグナリングで通知する。
【００２８】
図１４は、PDCCHのCCEとPUCCHの対応例を示すものである。これを用いて、基地局と移動局の間のシグナリングの例を示す。ユーザ端末（移動局）は、Downlink grantを検出した場合は、図１４においてＣＣＥ毎にＡＣＫ／ＮＡＣＫ用ＰＵＣＣＨ（#0-#5）が対応付けられているように、Downlink grantのＣＣＥ(Control Channel Element)のindexと１対１に対応付けられたindexを有するＰＵＣＣＨのリソースで、ＡＣＫ／ＮＡＣＫ、又はＣＱＩとＡＣＫ／ＮＡＣＫとの両方を通知するＴＴＩで制御信号として送信する。
【００２９】
Downlink grantを検出しなかった場合は、図１４のＣＱＩ用ＰＵＣＣＨ（#6-#11）のように、higher layerシグナリングで通知されたindexと１対１に対応付けられたindexを有するＰＵＣＣＨのリソースでＣＱＩを通知するＴＴＩで制御信号として送信する。尚、PUCCHのリソースにindexを付与することは現在行われていないが、以下の説明ではPUCCHのリソースにindexを付与して説明する。
【００３０】
基地局は、受信した制御信号が、Downlink grantのＣＣＥのindexと１対１に対応付けられたindexを有するリソースのＰＵＣＣＨを検出した場合は、ユーザ端末がDownlink grantを検出することができたと認識して、ACKのフォーマット又はCQI+ACKのフォーマットの制御信号であると判断し、更に自局で行ったスケジューリングの情報に基づいてどのフォーマットで送信されて来たかを判断してＰＵＣＣＨを再生（復調）する。一方、higher layerシグナリングで通知されたindexを有するＰＵＣＣＨを検出した場合は、ユーザ端末がDownlink grantを検出できなかったと認識して、ＣＱＩのフォーマットの制御信号であると判断してＰＵＣＣＨで受信した信号を再生（復調）する。
【００３１】
従って、基地局は、ユーザ端末がDownlink grantを検出したか否かをＰＵＣＣＨのリソースのindexにより判定し、正しいフォーマットで、CQI+ACK、ＣＱＩの信号を再生（復調）できる。
【００３２】
以下、本発明の実施形態について詳細に説明する。
【００３３】
本発明の無線通信システムは、基地局と、移動局とを有する。図７、図８は、それぞれ、本発明の第１の実施例における基地局、移動局の主要構成を示すブロック図である。図７では、基地局１０が複数の移動局２０（ＵＥ１、ＵＥ２・・・）を収容しているものとする。
【００３４】
図７において、無線通信制御部１０１は、例えば図２に既に示した所定の周波数／時間多重構成にしたがって複数の移動局ＵＥとの通信を制御する。たとえば、無線通信制御部１０１は、複数の移動局ＵＥから受信する多重信号を分離してＰＵＳＣＨ(Physical Uplink Shared CHannel)再生部１０２、ＰＵＣＣＨ再生部１０３およびＣＱＩ測定部１０４へそれぞれ出力する。またＰＤＣＣＨ(Physical Downlink Control CHannel)生成部１０７、ＰＤＳＣＨ(Physical Downlink Shared CHannel)生成部１０８およびリファレンス信号生成部１０９から各種送信信号を所定の周波数／時間多重構成に従って多重し、複数の移動局２０へ送信する。
【００３５】
ＣＱＩ測定部１０４は、各移動局からのリファレンス信号を受信することで、上りリンクの伝搬路品質を測定し、制御部１０５およびスケジューラ１０６へ出力する。
【００３６】
スケジューラ１０６は、制御部１０５の制御の下で、測定された各移動局の上りリンク伝搬路品質を用いて伝搬路依存の周波数スケジューリングを行う。スケジューラ１０６は、下りリンクのＰＤＳＣＨの割り当て情報であるDownlink grant及び上りリンクのＰＵＳＣＨの割り当て情報であるUplink grantを制御部１０５を介して、ＰＤＣＣＨ生成部１０７及びＰＤＳＣＨ生成部１０８へ出力する。ＰＤＣＣＨ生成部１０７に出力されたDownlink grantは無線通信制御部１０１によって下りリンクの制御信号として各移動局へ送信される。ＰＤＳＣＨ生成部１０８は、Downlink grantに指し示される下りデータを、無線通信制御部１０１を介して各移動局へ送信される。
【００３７】
制御部１０５は、スケジューラ１０６に周期的に下りリンクの通信品質の情報であるＣＱＩレポートを受けるためのＰＵＣＣＨ割り当て情報がある場合は、これもＰＤＳＣＨ生成部１０８に出力し、ＣＱＩレポートのためのＰＵＣＣＨ割り当て情報は、ＰＤＳＣＨ生成部１０８、無線通信制御部１０１によってＰＤＳＣＨの一部としてhigher layerシグナリングで各移動局へ送信される。
【００３８】
ＰＵＣＣＨ再生部１０３は、制御部１０５の下で、スケジューラ１０６がスケジューリングした情報にもとづいて、ＰＵＣＣＨを再生する。
【００３９】
図８において、無線通信部２０１により基地局１０から受信した多重信号を入力として、ＰＤＣＣＨ再生部２０２はDownlink grant、Uplink grantを再生し、ＰＤＳＣＨ再生部２０３は、再生されたDownlink grantに基づき、ＰＤＳＣＨで送信された下りデータ、ＣＱＩレポートのためのＰＵＣＣＨ割り当て情報等を抽出する。
【００４０】
制御部２０４は、ＰＤＣＣＨ再生部２０２から出力されるデータからDownlink grantを検出する。また、制御部２０４は、検出したDownlink grantやＰＤＳＣＨ再生部２０３で再生されたＣＱＩレポートのためのＰＵＣＣＨ割り当て情報に従って、上り制御信号送信に用いるＰＵＣＣＨを割り当てるための各種制御を行う。
【００４１】
ＰＵＳＣＨ生成部２０５は、制御部２０４を介して得られる再生されたUplink grantに基づきＰＵＳＣＨのデータ信号を生成し、離散フーリエ変換部DFT２０９によってＰＵＳＣＨデータ信号を周波数領域に変換した後、信号選択部２１０へ出力する。
【００４２】
ＰＵＣＣＨ生成部２０６は、制御部２０４の決定に基づいてＰＵＣＣＨの制御信号を生成し、ＣＡＺＡＣ系列拡散部２０７はＣＡＺＡＣ系列生成部２０８から入力した周波数領域のＣＡＺＡＣ系列を用いてＰＵＣＣＨの制御信号を拡散する。
【００４３】
ＣＡＺＡＣ系列生成部２０８は周波数領域のＣＡＺＡＣ系列を生成し、ＣＡＺＡＣ系列拡散部２０７及び信号選択部２１０へ出力する。
【００４４】
信号選択部２１０は、制御部２０４の制御の下で、ＤＦＴ２０９からのＰＵＳＣＨデータ信号、ＣＡＺＡＣ系列拡散部２０７からのＰＵＣＣＨ制御信号、および、ＣＡＺＡＣ系列生成部２０８からのリファレンス信号を順次選択し、時間方向の分割多重を行い、サブキャリアマッピング部２１１へ出力する。サブキャリアマッピング部２１１は、信号選択部２１０から入力した周波数領域の信号を割り当てられたリソースブロックのサブキャリアにマッピングし、それを逆フーリエ変換部ＩＦＦＴ２１２によって時間領域の信号に変換する。
【００４５】
続いて、サイクリックシフト部２１３は、制御部２０４の制御の下で、ＣＡＺＡＣ系列のサイクリックシフトを行う。すなわち、ＰＵＳＣＨの場合にはサイクリックシフト量を０に設定してサイクリックシフトは行わない。ＰＵＣＣＨおよびリファレンス信号の場合には、制御部２０４は６パターンのサイクリックシフト量を指示し、時間領域のＣＡＺＡＣ信号にサイクリックシフトを付加する。続いて、サイクリックプレフィックス付加部２１４は、こうして得られた時間領域の信号にサイクリックプレフィックスを付加して無線通信部２０１へ出力する。
【００４６】
図９は、本発明の第一の実施例における移動局２０の制御部２０４でのＰＵＣＣＨの選択と生成する情報の種類の決定に関するフローチャートである。尚、ここでは、既に、基地局からＣＱＩの周期的なレポートのためのＰＵＣＣＨ割り当て情報が通知され、制御部２０４はこの情報に基づいて、これから送信するＴＴＩでＣＱＩを制御情報として送信するべきかを判断するものとする。
【００４７】
図９において、移動局２０の制御部２０４では、Downlink grantの検出を行う(ステップ３００)。
【００４８】
Downlink grantが検出された場合は、Downlink grantのＣＣＥ(Control Channel Element)のindexと１対１に対応付けられたindexを有するＰＵＣＣＨのリソースを用いて信号送信するように、信号選択部２１０に通知する(ステップ３０１)。
【００４９】
そして、これから送信するＴＴＩでＣＱＩを制御情報として送信するか否かを判定し(ステップ３０２)、ＣＱＩを送信するＴＴＩの場合はCQI+ACK/NACKを制御情報として生成することを決定してＰＵＣＣＨ生成部２０６に通知し(ステップ３０５)、ＣＱＩを送信するＴＴＩではない場合はＡＣＫ／ＮＡＣＫを制御情報として生成することを決定してＰＵＣＣＨ生成部２０６に通知する(ステップ３０６)。尚、Downlink grantで示されている下りデータをＰＤＳＣＨから正常に抽出できた場合にはＡＣＫを、正常に抽出できなかった場合にはＮＡＣＫを生成する。
【００５０】
一方、ステップ３００でDownlink grantが検出されなかった場合は、これから送信するＴＴＩでＣＱＩを制御情報として送信するかを判定し(ステップ３０３)、ＣＱＩを送信するＴＴＩの場合は、higher layerシグナリングで通知されたindexと１対１に対応付けられたindexを有するＣＱＩ送信用のＰＵＣＣＨのリソースを用いて送信するように信号選択部２１０に通知し(ステップ３０４)、ＣＱＩを制御情報として生成することを決定してＰＵＣＣＨ生成部２０６に通知する(ステップ３０７)。
【００５１】
一方、ステップ３０３でＣＱＩを送信するＴＴＩではないと判定された場合は何も行わずに処理を終了する。
【００５２】
図１０は、本発明の第一の実施例における基地局１０のＰＵＣＣＨ再生部１０３でのＰＵＣＣＨの再生処理に関するフローチャートの第一例である。
【００５３】
図１０において、基地局１０のＰＵＣＣＨ再生部１０３では、ＡＣＫ／ＮＡＣＫが含まれる制御信号を送信するＴＴＩであるか否かを判定する(ステップ４００)。この判定は、基地局１０が送信した下りデータに対するＡＣＫ／ＮＡＣＫが送信されてくるタイミングで受信した制御信号であるか否かによって行われるものであり、スケジューラ１０６が下りデータを移動局２０に送信する際に行ったスケジューリングの情報に基づいて制御部１０５がＰＵＣＣＨ再生部１０３を制御して行われる。
【００５４】
ステップ４００でＡＣＫ／ＮＡＣＫが含まれる制御信号を送信するＴＴＩであると判定された場合は、ＡＣＫ／ＮＡＣＫ又はCQI+ACK/NACK（Downlink grantのＣＣＥのindexと１対１に対応付けられたindexを有するＰＵＣＣＨのリソース）の情報が入った制御情報であるか否かを知るために、ＡＣＫ／ＮＡＣＫの送信に用いられるＰＵＣＣＨのリソースが使用するべきサイクリックシフト系列とこの制御情報が送信されたＰＵＣＣＨにおける拡散に用いられているサイクリックシフト系列との相関値を計算する(ステップ４０１)。これは、スケジューラ１０６が下りデータを移動局２０に送信する際に、使用するべきサイクリックシフト系列をスケジューリングしており、制御部１０５は、予めその情報を知っているので、この情報を用いて相関を計算する。尚、ここでのＰＵＣＣＨは、ＰＤＳＣＨを割り当てる際に用いたDownlink grantのＣＣＥ(Control Channel Element)のindexと１対１に対応付けられたindexを有するＰＵＣＣＨである。
【００５５】
次に相関の計算結果が所定の閾値以上であるか否かを判定する(ステップ４０２)。
【００５６】
閾値以上であると判定された場合、ＡＣＫ／ＮＡＣＫ又はCQI+ACK/NACKの情報が入った制御情報であることがわかり、次にＣＱＩ+ACK/NACKの制御情報であるか否かを判定する(ステップ４０３)。この判定は、基地局１０が送信したＣＱＩの周期的なレポートの要求に基づいて、ＣＱＩが送信されてくるタイミングで受信した制御情報であるか否かによって行われるものであり、スケジューラ１０６が下りデータを移動局２０に送信する際に行ったスケジューリングの情報に基づいて制御部１０５がＰＵＣＣＨ再生部１０３を制御して行われる。
【００５７】
ＣＱＩが送信されるＴＴＩの場合、Downlink grantのＣＣＥのindexと１対１に対応付けられたindexを有するＰＵＣＣＨのリソースを用いてCQI+ACK/NACKのフォーマットで送信された制御情報として再生し(ステップ４０５)、ＣＱＩが送信されるＴＴＩでない場合、Downlink grantのＣＣＥのindexと１対１に対応付けられたindexを有するＰＵＣＣＨのリソースを用いてＡＣＫ／ＮＡＣＫのフォーマットで送信された制御情報として再生する(ステップ４０６)。
【００５８】
一方、ステップ４００でＡＣＫ／ＮＡＣＫが含まれないと判定された場合、あるいは、ステップ４０２で、相関値が閾値未満であると判定された場合、ＣＱＩが送信されるＴＴＩであるか否かを判定する(ステップ４０４)。この判定は、基地局１０が送信したＣＱＩの周期的なレポートの要求に基づいて、ＣＱＩが送信されてくるタイミングでの受信であるか否かによって行われるものであり、スケジューラ１０６が下りデータを移動局２０に送信する際に行ったスケジューリングの情報に基づいて制御部１０５がＰＵＣＣＨ再生部１０３を制御して行われる。
【００５９】
ＣＱＩが含まれる制御信号が送信されるＴＴＩの場合、higher layerシグナリングで通知されたindexを有するＣＱＩ送信用のＰＵＣＣＨをＣＱＩとして再生し(ステップ４０７)、ＣＱＩが含まれる制御信号が送信されるＴＴＩでない場合、何も行わずに処理を終了する。
【００６０】
尚、ステップ４００において、基地局１０のＰＵＣＣＨ再生部１０３がＡＣＫ／ＮＡＣＫが含まれる制御信号が送信されるＴＴＩであるか否かを判定しているが、この判定を行わなくても、正しいフォーマットでＰＵＣＣＨを再生（復調）することが可能となる。
【００６１】
図１１は、本発明の第一の実施例における基地局１０のＰＵＣＣＨ再生部１０３でのＰＵＣＣＨの再生処理に関するフローチャートの第二例である。
【００６２】
図１１において、基地局１０のＰＵＣＣＨ再生部１０３では、上記ステップ４００同様に、ＡＣＫ／ＮＡＣＫが含まれる制御信号を受信するＴＴＩであるか否かを判定する(ステップ５００)。
【００６３】
ステップ５００でＡＣＫ／ＮＡＣＫが含まれる制御信号を受信するＴＴＩであると判定された場合は、ＣＱＩが含まれる制御信号を受信するＴＴＩであるか否かを判定する(ステップ５０１)。この判定は、基地局１０が送信したＣＱＩの周期的なレポートの要求に基づいて、ＣＱＩが含まれる制御信号が送信されてくるタイミングで受信したかによって行われるものであり、スケジューラ１０６が下りデータを移動局２０に送信する際に行ったスケジューリングの情報に基づいて制御部１０５がＰＵＣＣＨ再生部１０３を制御して行われる。
【００６４】
ＣＱＩが含まれる制御信号を受信するＴＴＩの場合、ＣＱＩ又はCQI+ACK/NACK（Downlink grantのＣＣＥのindexと１対１に対応付けられたindexを有するＰＵＣＣＨのリソース、又はDownlink grantのＣＣＥのindexと１対１に対応付けられたindexを有するＰＵＣＣＨ）の制御情報であるかを知るために、ＡＣＫ／ＮＡＣＫの送信に用いられるＰＵＣＣＨのリソースが使用するべきサイクリックシフト系列、及びＣＱＩの送信に用いられるＰＵＣＣＨのリソースが使用するべきサイクリックシフト系列のそれぞれと、この制御情報が送信されたＰＵＣＣＨにおける拡散に用いられているサイクリックシフト系列との相関値A、Bを計算する(ステップ５０２)。これは、スケジューラ１０６が下りデータを移動局２０に送信する際に、使用するべきサイクリックシフト系列をスケジューリングしており、制御部１０５は、予めその情報を知っているので、この情報を用いて相関を計算する。
【００６５】
次に、相関値Aが相関値Bより大きいか否かを判定し(ステップ５０３)、相関値Aが相関値Bより大きい場合は、Downlink grantのＣＣＥのindexと１対１に対応付けられたindexを有するＰＵＣＣＨのリソースを用いてCQI+ACK/NACKのフォーマットで送信された制御情報として再生し(ステップ５０６)、相関値Aが相関値B以下である場合、higher layerシグナリングで通知されたindexを有するＣＱＩ送信用のＰＵＣＣＨのリソースを用いてＣＱＩのフォーマットで送信された制御情報として再生する(ステップ５０７)。ステップ５０１で、ＣＱＩが含まれる制御信号を受信するＴＴＩでないと判定された場合は、Downlink grantのＣＣＥのindexと１対１に対応付けられたindexを有するＰＵＣＣＨのリソースを用いてＡＣＫ／ＮＡＣＫのフォーマットで送信されたとして再生する(ステップ５０５)。
【００６６】
一方、ステップ５００でＡＣＫ／ＮＡＣＫを受信するタイミングでないと判定された場合、ＣＱＩが含まれる制御信号を受信するＴＴＩであるか否かを判定する(ステップ５０４)。この判定は、基地局１０が送信したＣＱＩの周期的なレポートの要求に基づいて、ＣＱＩが送信されてくるタイミングで受信した制御情報であるか否かによって行われるものであり、スケジューラ１０６が下りデータを移動局２０に送信する際に行ったスケジューリングの情報に基づいて制御部１０５がＰＵＣＣＨ再生部１０３を制御して行われる。
【００６７】
ＣＱＩが含まれる制御信号を受信するＴＴＩの場合、higher layerシグナリングで通知されたindexを有するＣＱＩ送信用のＰＵＣＣＨのリソースを用いてＣＱＩのフォーマットで送信された制御情報として再生し(ステップ５０７)、ＣＱＩが含まれる制御信号を受信するＴＴＩでない場合、何も行わずに処理を終了する。
【００６８】
上記実施例において、higher layerシグナリングでPUCCHの割り当てが通知される例として、PUCCHを用いてCQIを送信する場合を挙げたが、本発明の適用はこれに限定されるものでなく、PUCCHを用いて周期的に情報を送信する場合全般に適用可能である。例えば、VoIP等のPDSCHのリソースが周期的に割り当てられるアプリケーションに対するACK/NACKが、PUCCHを用いて周期的に送信される情報の一つに挙げられる。この周期的にACK/NACKを送信するためのPUCCHの割り当て方法としても、higher layer signalingを用いることが考えられる。
【００６９】
DL grantでスケジューリングされたPDSCHに対するACK/NACKと周期的なACK/NACKを一つのPUCCHで、(a)各々送信する場合と(b)同時に送信する場合で、送信フォーマットが異なる。前者では1ビットの情報のみを、後者では2ビットの情報を送信するため、例えば、変調方式として、前者はBPSK、後者はQPSKを用いる。
【００７０】
ユーザ端末が、PUCCHで周期的なACK/NACKを送信する際に、DL grantを検出した場合は、Downlink grantのCCEのindexと1対1に対応付けられたindexを有するPUCCHで、変調方式としてQPSKを用いて両方のACK/NACKを送信し、DL grantを検出しなかった場合は、higher layerシグナリングで通知されたindexを有するPUCCHで、BPSKを用いて周期的なACK/NACKを送信する。基地局は、Downlink grantのCCEのindexと1対1に対応付けられたindexを有するPUCCHを検出した場合は、QPSKを用いたフォーマットであると判断してPUCCHを再生（復調）し、higher layerシグナリングで通知されたindexを有するPUCCHを検出した場合は、BPSKを用いたフォーマットであると判断してPUCCHを再生（復調）する。従って、基地局は、ユーザ端末がDL grantを検出したか否かをPUCCHのindexにより判定し、正しいフォーマットで再生（復調）できる。
【００７１】
以上の処理により、ＣＱＩとＡＣＫ／ＮＡＣＫを同時送信する場合と、ＣＱＩを送信する場合で、移動局が異なるＰＵＣＣＨを選択し、どちらのＰＵＣＣＨで送信されたかを基地局で検出することにより、正しいフォーマットでＰＵＣＣＨを再生（復調）することが可能となる。
【００７２】
図１２は本発明の第２の実施例における移動局の主要構成を示すブロック図である。尚、基地局は第１の実施例と同様に、図７の構成を有するものとし、上記第１の実施例と同様の基地局及び移動局の構成部は同一番号を付し、詳細な説明を省略する。本実施例の第１の実施例との大きな違いは、時間軸上のブロック拡散を適用することにより、ＡＣＫ／ＮＡＣＫ送信用のＰＵＣＣＨのリソースの多重数を増加している点にある。
【００７３】
図１２において、無線通信部２０１により基地局１０から受信した多重信号を入力として、ＰＤＣＣＨ再生部２０２はDownlink grant、Uplink grantを再生し、ＰＤＳＣＨ再生部２０３は、再生されたDownlink grantに基づき、ＰＤＳＣＨで送信された下りデータ、ＣＱＩレポートのためのＰＵＣＣＨ割り当て情報等を抽出する。制御部２０４は、基地局から通知されたDownlink grantやＣＱＩレポートのためのＰＵＣＣＨ割り当て情報に従って、上り制御信号送信に用いるＰＵＣＣＨを割り当てるための各種制御を行う。
【００７４】
ＰＵＳＣＨ生成部２０５は、制御部２０４を介して得られる再生されたUplink grantに基づきＰＵＳＣＨのデータ信号を生成し、離散フーリエ変換部DFT２０９によってＰＵＳＣＨデータ信号を周波数領域に変換した後、信号選択部２１０へ出力する。
【００７５】
ＰＵＣＣＨ生成部２０６は、制御部２０４の決定に基づいてＰＵＣＣＨの制御信号を生成し、ＣＡＺＡＣ系列拡散部２０７はＣＡＺＡＣ系列生成部２０８から入力した周波数領域のＣＡＺＡＣ系列を用いてＰＵＣＣＨの制御信号を拡散する。
【００７６】
ＣＡＺＡＣ系列生成部２０８は周波数領域のＣＡＺＡＣ系列を生成し、ＣＡＺＡＣ系列拡散部２０７及びブロック拡散部６０３へ出力する。
【００７７】
ブロック拡散部６０１は、ブロック拡散符号生成部６０２からの拡散符号を用いてＰＵＣＣＨの拡散制御信号のブロック拡散を行い信号選択部２１０へ出力する。ブロック拡散部６０３は、ブロック拡散符号生成部６０２からの拡散符号を用いて、ＣＡＺＡＣ系列生成部２０８から入力した周波数領域のＣＡＺＡＣ系列のブロック拡散を行い信号選択部２１３へ出力する。
【００７８】
ブロック拡散符号生成部６０２は、ＰＵＣＣＨおよびリファレンス信号のブロック拡散に用いる符号をそれぞれ生成する。
【００７９】
信号選択部２１０は、制御部２０４の制御の下で、ＤＦＴ２０９からのＰＵＳＣＨデータ信号、ブロック拡散部６０１からのＰＵＣＣＨ制御信号、および、ブロック拡散部６０３からのリファレンス信号を順次選択し、時間方向の分割多重を行い、サブキャリアマッピング部２１１へ出力する。サブキャリアマッピング部２１１は、信号選択部２１３から入力した周波数領域の信号を割り当てられたリソースブロックのサブキャリアにマッピングし、それを逆フーリエ変換部ＩＦＦＴ２１２によって時間領域の信号に変換する。
【００８０】
続いて、サイクリックシフト部２１３は、制御部２０４の制御の下で、ＣＡＺＡＣ系列のサイクリックシフトを行う。すなわち、ＰＵＳＣＨの場合にはサイクリックシフト量を０に設定してサイクリックシフトは行わない。ＰＵＣＣＨおよびリファレンス信号の場合には、制御部２０４は６パターンのサイクリックシフト量を指示し、時間領域のＣＡＺＡＣ信号にサイクリックシフトを付加する。続いて、サイクリックプレフィックス付加部２１４は、こうして得られた時間領域の信号にサイクリックプレフィックスを付加して無線通信部２０１へ出力する。
【００８１】
以上により、時間軸上のブロック拡散を用いたＰＵＣＣＨのユーザ多重が可能となる。但し、ブロック拡散はＡＣＫ／ＮＡＣＫを送信する場合に適用される。ＣＱＩを送信する場合、CQI+ACK/NACKを送信する場合は、ACK/NACKを送信する場合と、スロット内におけるリファレンス信号及び制御信号の配置が異なるため、ブロック拡散により直交化することはできない。従って、CQI+ACK/NACKを送信するＰＵＣＣＨのリソースと、ＣＱＩを送信するＰＵＣＣＨのリソースと、ＡＣＫ／ＮＡＣＫを送信するＰＵＣＣＨのリソースとは、周波数とサイクリックシフトの少なくともいずれか一方が異なる必要がある。本発明では、CQI+ACK/NACKを送信するＰＵＣＣＨのリソースとＡＣＫ／ＮＡＣＫを送信するＰＵＣＣＨのリソースは、Downlink grantのＣＣＥのindexと１対１に対応付けられる。従って、基地局においてDownlink grantを送信するＰＤＣＣＨの割り当てを行う際に、このDownlink grantのＣＣＥのindexと１対１に対応付けられるＰＵＣＣＨのリソースを用いて送信される、CQI+ACK/NACKを送信するＰＵＣＣＨのリソースとＡＣＫ／ＮＡＣＫを送信するＰＵＣＣＨのリソースとが直交するように予め考慮する必要がある。
【００８２】
図１３は、本発明の第二の実施例における基地局１０の制御部１０５でのDownlink grantを送信するためのＰＤＣＣＨのリソース割り当てに関するフローチャートである。尚、ここでは、既に、移動局２０に対して、ＣＱＩの周期的なレポートのためのＰＵＣＣＨ割り当て情報を通知し、制御部１０５はスケジューラ１０６のスケジューリング情報によって、ＣＱＩが送信されるタイミングを知っているものとする。
【００８３】
図１３において、基地局１０の制御部１０５では、ＰＤＳＣＨの割り当てを行うか否かの判定を行う(ステップ７００)。これは、移動局２０に送信する下りデータがあるかによって判定する。
【００８４】
ＰＤＳＣＨが割り当てられる場合は、このＰＤＳＣＨの下りデータの受信状況であるＡＣＫ／ＮＡＣＫとＣＱＩとが同じＴＴＩで送信されるか否かを判定する(ステップ７０１)。これは、制御部１０５はスケジューラ１０６のスケジューリング情報によって、ＣＱＩが送信されるタイミングを知っているので、これによりＡＣＫ／ＮＡＣＫとＣＱＩとが制御情報として送信されるかを判定する。
【００８５】
同じＴＴＩで送信される場合は、移動局２０がCQI+ACK/NACKの送信に用いるＰＵＣＣＨのリソースを、ＡＣＫ／ＮＡＣＫの送信に用いるＰＵＣＣＨのリソースと直交するような、Downlink grantのＣＣＥ(Control Channel Element)のindexをＰＤＣＣＨに割り当てる(ステップ７０２)。
【００８６】
一方、同じＴＴＩで送信されない場合は、移動局２０がＡＣＫ／ＮＡＣＫの送信に用いるＰＵＣＣＨのリソースを、CQI+ACK/NACKの送信に用いるＰＵＣＣＨのリソースと直交するようなDownlink grantのＣＣＥ(Control Channel Element)のindexをＰＤＣＣＨに割り当てる(ステップ７０３)。
【００８７】
このように、CQI+ACK/NACKの送信に用いるＰＵＣＣＨのリソースと、ＡＣＫ／ＮＡＣＫの送信に用いるＰＵＣＣＨのリソースとが直交するように基地局側でDownlink grantのＣＣＥのindexを予め割り当てると、基地局２０はシグナリングを行わなくとも、CQI+ACK/NACKの送信に用いるＰＵＣＣＨのリソースと、ＡＣＫ／ＮＡＣＫの送信に用いるＰＵＣＣＨのリソースとを直交させることができる。
【００８８】
尚、上述した本発明の端末は、上記説明からも明らかなように、ハードウェアで構成することも可能であるが、コンピュータプログラムにより実現することも可能である。この場合、プログラムメモリに格納されているプログラムで動作するプロセッサによって、上述した実施の形態と同様の機能、動作を実現させる。尚、上述した実施の形態の一部の機能のみをコンピュータプログラムにより実現することも可能である。
【００８９】
（付記１）
無線通信方法であって、
下りデータのチャネルの割り当てを示す割当情報を検出した場合、この割当情報のリソースに対応付けられた上り制御チャネルのリソースを用いて、少なくとも、前記割当情報が示している下りデータの受信状況を示す制御情報を送信することを特徴とする無線通信方法。
【００９０】
（付記２）
前記割当情報を検出した場合、下りリンクの通信品質を示す品質情報を送信するタイミングであるかを判定し、
品質情報を送信するべきタイミングであると判定されると、前記制御情報と前記品質情報とを前記割当情報のリソースに対応付けられた上り制御チャネルのリソースを用いて送信することを特徴とする付記１に記載の無線通信方法。
【００９１】
（付記３）
前記割当情報が検出されなかった場合、下りリンクの通信品質を示す品質情報を送信するタイミングであるかを判定し、
品質情報を送信するべきタイミングであると判定されると、その品質情報の送信に予め割り当てられている上り制御チャネルのリソースを用いて、その品質情報を送信することを特徴とする付記１又は付記２に記載の無線通信方法。
【００９２】
（付記４）
前記割当情報が検出されなかった場合、周期的な制御情報を送信するタイミングであるかを判定し、
周期的な制御情報を送信するタイミングであると判定されると、その周期的な制御情報の送信に予め割り当てられている上り制御チャネルのリソースを用いて、その周期的な制御情報を送信することを特徴とする付記１又は付記２に記載の無線通信方法。
【００９３】
（付記５）
送信された情報に用いられたリソースの判別結果に応じて決定されるフォーマットに基づいて、前記送信された情報を再生することを特徴とする付記１から付記４のいずれかに記載の無線通信方法。
【００９４】
（付記６）
下りデータの受信状況を示す制御情報の送信に用いられるべき拡散符号と、前記割当情報のリソースに対応付けられた上り制御チャネルのリソースで送信された制御情報に用いられている拡散符号との相関関係に基づいて、前記リソースを判別することを特徴とする付記５に記載の無線通信方法。
【００９５】
（付記７）
下りデータの受信状況を示す制御情報の送信に用いられるべき拡散符号と、前記割当情報のリソースに対応付けられた上り制御チャネルのリソースで送信された制御情報に用いられている拡散符号との相関関係と、下りデータの受信状況を示す制御情報の送信に用いられるべき拡散符号と、前記品質情報又は周期的な制御情報の送信に予め割り当てられている上り制御チャネルのリソースで送信された制御情報に用いられている拡散符号との相関関係とに基づいて、前記リソースを判別することを特徴とする付記５に記載の無線通信方法。
【００９６】
（付記８）
下りデータの受信状況を示す制御情報と下りリンクの通信品質を示す品質情報とを送信する場合に用いられる上り制御チャネルのリソースと、前記制御情報を送信する場合に用いられる上り制御チャネルのリソースとが直交するように、前記割当情報を決定することを特徴とする付記２から付記７のいずれかに記載の無線通信方法。
【００９７】
（付記９）
無線通信システムであって、
下りデータのチャネルの割り当てを示す割当情報を検出する検出手段と、
前記割当情報が検出された場合、この割当情報のリソースに対応付けられた上り制御チャネルのリソースを用いて、少なくとも、前記割当情報が示している下りデータの受信状況を示す制御情報を送信する送信手段と
を有することを特徴とする無線通信システム。
【００９８】
（付記１０）
前記検出手段は、前記割当情報が検出されなかった場合、下りリンクの通信品質を示す品質情報を送信するタイミングであるかを判定し、
前記送信手段は、品質情報を送信するべきタイミングであると判定されると、その品質情報の送信に予め割り当てられている上り制御チャネルのリソースを用いて、その品質情報を送信する
ことを特徴とする付記９に記載の無線通信システム。
【００９９】
（付記１１）
前記検出手段は、前記割当情報が検出されなかった場合、周期的な制御情報を送信するタイミングであるかを判定し、
前記送信手段は、周期的な制御情報を送信するタイミングであると判定されると、その周期的な制御情報の送信に予め割り当てられている上り制御チャネルのリソースを用いて、その周期的な制御情報を送信すること
を特徴とする付記９に記載の無線通信システム。
【０１００】
（付記１２）
前記検出手段は、前記割当情報を検出した場合、下りリンクの通信品質を示す品質情報を送信するタイミングであるかを判定し、
前記送信手段は、品質情報を送信するべきタイミングであると判定されると、前記制御情報と前記品質情報とを前記割当情報のリソースに対応付けられた上り制御チャネルのリソースを用いて送信する
ことを特徴とする付記９から付記１１のいずれかに記載の無線通信システム。
【０１０１】
（付記１３）
送信された情報に用いられたリソースの判別結果に応じて決定されるフォーマットに基づいて、前記送信された情報を再生することを特徴とする付記９から付記１２のいずれかに記載の無線通信システム。
【０１０２】
（付記１４）
下りデータの受信状況を示す制御情報の送信に用いられるべき拡散符号と、前記割当情報のリソースに対応付けられた上り制御チャネルのリソースで送信された制御情報に用いられている拡散符号との相関関係に基づいて、前記リソースを判別することを特徴とする請求項１３に記載の無線通信システム。
【０１０３】
（付記１５）
下りデータの受信状況を示す制御情報の送信に用いられるべき拡散符号と、前記割当情報のリソースに対応付けられた上り制御チャネルのリソースで送信された制御情報に用いられている拡散符号との相関関係と、下りデータの受信状況を示す制御情報の送信に用いられるべき拡散符号と、前記品質情報又は周期的な制御情報の送信に予め割り当てられている上り制御チャネルのリソースで送信された制御情報に用いられている拡散符号との相関関係とに基づいて、前記リソースを判別することを特徴とする付記１３に記載の無線通信システム。
【０１０４】
（付記１６）
下りデータの受信状況を示す制御情報と下りリンクの通信品質を示す品質情報とを送信する場合に用いられる上り制御チャネルのリソースと、前記制御情報を送信する場合に用いられる上り制御チャネルのリソースとが直交するように、前記割当情報のリソースを決定する決定手段を有することを特徴とする付記１２から付記１５のいずれかに記載の無線通信システム。
【０１０５】
（付記１７）
移動局であって、
下りデータのチャネルの割り当てを示す割当情報を検出する検出手段と、
前記割当情報が検出された場合、この割当情報のリソースに対応付けられた上り制御チャネルのリソースを用いて、少なくとも、前記割当情報が示している下りデータの受信状況を示す制御情報を送信する送信手段と
を有することを特徴とする移動局。
【０１０６】
（付記１８）
前記検出手段は、前記割当情報を検出した場合、下りリンクの通信品質を示す品質情報を送信するタイミングであるかを判定し、
前記送信手段は、品質情報を送信するべきタイミングであると判定されると、前記制御情報と前記品質情報とを前記割当情報のリソースに対応付けられた上り制御チャネルのリソースを用いて送信する
ことを特徴とする付記１７に記載の移動局。
【０１０７】
（付記１９）
前記検出手段は、前記割当情報が検出されなかった場合、下りリンクの通信品質を示す品質情報を送信するタイミングであるかを判定し、
前記送信手段は、品質情報を送信するべきタイミングであると判定されると、その品質情報の送信に予め割り当てられている上り制御チャネルのリソースを用いて、その品質情報を送信する
ことを特徴とする付記１７又は付記１８に記載の移動局。
【０１０８】
（付記２０）
前記検出手段は、前記割当情報が検出されなかった場合、周期的な制御情報を送信するタイミングであるかを判定し、
前記送信手段は、周期的な制御情報を送信するタイミングであると判定されると、その周期的な制御情報の送信に予め割り当てられている上り制御チャネルのリソースを用いて、その周期的な制御情報を送信すること
を特徴とする付記１７又は付記１８に記載の移動局。
【０１０９】
（付記２１）
基地局であって、
送信されてきた情報の送信に用いられたリソースを判別する判別手段と、
前記判別結果に応じて決定されるフォーマットに基づいて、前記送信された情報を再生する再生手段と
を有することを特徴とする基地局。
【０１１０】
（付記２２）
前記判別手段は、下りデータの受信状況を示す制御情報の送信に用いられるべき拡散符号と、前記下りデータのチャネルの割り当てを示す割当情報のリソースに対応付けられた上り制御チャネルのリソースで送信されてきた情報に用いられている拡散符号との相関関係に基づいて、前記リソースを判別することを特徴とする付記２１に記載の基地局。
【０１１１】
（付記２３）
前記判別手段は、下りデータの受信状況を示す制御情報の送信に用いられるべき拡散符号と、前記下りデータのチャネルの割り当てを示す割当情報のリソースに対応付けられた上り制御チャネルのリソースで送信されてきた情報に用いられている拡散符号との相関関係と、下りデータの受信状況を示す制御情報の送信に用いられるべき拡散符号と、前記送信すべき制御情報の送信に予め割り当てられている上り制御チャネルのリソースで送信された制御情報に用いられている拡散符号との相関関係とに基づいて、前記リソースを判別することを特徴とする付記２１に記載の基地局。
【０１１２】
（付記２４）
下りデータの受信状況を示す制御情報と下りリンクの通信品質を示す品質情報とが送信される場合に用いられる上り制御チャネルのリソースと、前記制御情報が送信される場合に用いられる上り制御チャネルのリソースとが直交するように、下りデータのチャネルの割り当てを示す割当情報のリソースを決定する決定手段を有することを特徴とする付記２１から付記２３のいずれかに記載の基地局。
【０１１３】
（付記２５）
前記再生手段は、前記判別結果が、前記割当情報のリソースに対応付けられた上り制御チャネルのリソースが、送信されてきた情報に用いられたリソースであるとするときは、下りデータの受信状況を示す制御情報を含むフォーマットとして再生し、
前記判別結果が、前記品質情報の送信のために予め割り当てられている上り制御チャネルのリソースが、送信されてきた情報に用いられたリソースであるとするときは、下りデータの受信状況を示す制御情報を含まないフォーマットとして再生することを特徴とする付記２２から付記２４に記載の基地局。
【０１１４】
（付記２６）
移動局のプログラムであって、前記プログラムは、前記移動局に、
下りデータのチャネルの割り当てを示す割当情報を検出する検出処理と、
前記割当情報が検出された場合、この割当情報のリソースに対応付けられた上り制御チャネルのリソースを用いて、少なくとも、前記割当情報が示している下りデータの受信状況を示す制御情報を送信する送信処理と
を実行させることを特徴とするプログラム。
【０１１５】
（付記２７）
前記検出処理は、前記割当情報を検出した場合、更に、下りリンクの通信品質を示す品質情報を送信するタイミングであるかを判定し、
前記送信処理は、品質情報を送信するべきタイミングであると判定されると、前記制御情報と前記品質情報とを前記割当情報のリソースに対応付けられた上り制御チャネルのリソースを用いて送信する
ことを特徴とする付記２６に記載のプログラム。
【０１１６】
（付記２８）
前記検出処理は、前記割当情報が検出されなかった場合、更に、下りリンクの通信品質を示す品質情報を送信するタイミングであるかを判定し、
前記送信処理は、品質情報を送信するべきタイミングであると判定されると、その品質情報の送信に予め割り当てられている上り制御チャネルのリソースを用いて、その品質情報を送信する
ことを特徴とする付記２６又は付記２５に記載のプログラム。
【０１１７】
（付記２９）
前記検出処理は、前記割当情報が検出されなかった場合、更に、周期的な制御情報を送信するタイミングであるかを判定し、
前記送信処理は、周期的な制御情報を送信するタイミングであると判定されると、その周期的な制御情報の送信に予め割り当てられている上り制御チャネルのリソースを用いて、その周期的な制御情報を送信すること
を特徴とする付記２６又は付記２７に記載のプログラム。
【０１１８】
（付記３０）
基地局のプログラムであって、前記プログラムは、前記基地局に、
送信されてきた情報の送信に用いられたリソースを判別する判別処理と、
前記判別結果に応じて決定されるフォーマットに基づいて、前記送信された情報を再生する再生処理と
を実行させることを特徴とするプログラム。
【０１１９】
（付記３１）
前記判別処理は、下りデータの受信状況を示す制御情報の送信に用いられるべき拡散符号と、前記下りデータのチャネルの割り当てを示す割当情報のリソースに対応付けられた上り制御チャネルのリソースで送信されてきた情報に用いられている拡散符号との相関関係に基づいて、前記リソースを判別することを特徴とする付記３０に記載のプログラム。
【０１２０】
（付記３２）
前記判別処理は、下りデータの受信状況を示す制御情報の送信に用いられるべき拡散符号と、前記下りデータのチャネルの割り当てを示す割当情報のリソースに対応付けられた上り制御チャネルのリソースで送信されてきた情報に用いられている拡散符号との相関関係と、下りデータの受信状況を示す制御情報の送信に用いられるべき拡散符号と、前記送信すべき制御情報の送信に予め割り当てられている上り制御チャネルのリソースで送信された制御情報に用いられている拡散符号との相関関係とに基づいて、前記リソースを判別することを特徴とする付記３０に記載のプログラム。
【０１２１】
（付記３３）
下りデータの受信状況を示す制御情報と下りリンクの通信品質を示す品質情報とが送信される場合に用いられる上り制御チャネルのリソースと、前記制御情報が送信される場合に用いられる上り制御チャネルのリソースとが直交するように、下りデータのチャネルの割り当てを示す割当情報のリソースを決定する決定処理を実行させることを特徴とする付記３０から付記３２のいずれかに記載のプログラム。
【０１２２】
（付記３４）
前記再生処理は、前記判別結果が、前記割当情報のリソースに対応付けられた上り制御チャネルのリソースが、送信されてきた情報に用いられたリソースであるとするときは、下りデータの受信状況を示す制御情報を含むフォーマットとして再生し、
前記判別結果が、前記品質情報の送信のために予め割り当てられている上り制御チャネルのリソースが、送信されてきた情報に用いられたリソースであるとするときは、下りデータの受信状況を示す制御情報を含まないフォーマットとして再生することを特徴とする付記３１から付記３３に記載のプログラム。
【０１２３】
（付記３５）
無線通信システムにおける無線通信方法であって、
移動局が、下りデータのチャネルの割り当てを示す割当情報を検出した場合、この割当情報のリソースに対応付けられた上り制御チャネルのリソースを用いて、少なくとも、前記割当情報が示している下りデータの受信状況を示す情報を送信し、
基地局が、送信されてきた情報に用いられたリソースの判別結果に応じて決定されるフォーマットに基づいて、前記送信された情報を再生する
ことを特徴とする無線通信方法。
【０１２４】
本出願は、２００７年８月１０日に出願された日本出願特願２００７−２０９７４０号を基礎とする優先権を主張し、その開示の全てをここに取り込む。
【符号の説明】
【０１２５】
１０            基地局
１０１          無線通信制御部
１０２          ＰＵＳＣＨ再生部
１０３          ＰＵＣＣＨ再生部
１０４          ＣＱＩ測定部
１０５          制御部
１０６          スケジューラ
１０７          ＰＤＣＣＨ生成部
１０８          ＰＤＳＣＨ生成部
１０９          リファレンス信号生成部
２０            移動局
２０１          無線通信部
２０２          ＰＤＣＣＨ再生部
２０３          ＰＤＳＣＨ再生部
２０４          制御部
２０５          ＰＵＳＣＨ生成部
２０６          ＰＵＣＣＨ生成部
２０７          ＣＡＺＡＣ系列拡散部
２０８          ＣＡＺＡＣ系列生成部
２０９          ＤＦＴ
２１０          信号選択部
２１１          サブキャリアマッピング
２１２          ＩＦＦＴ
２１３          サイクリックシフト部
２１４          サイクリックプレフィックス付加部
６０１、６０３  ブロック拡散部
６０２          ブロック拡散符号生成部
【図１】
0005569702.tif 000003
【図２】
0005569702.tif 000004
【図３】
0005569702.tif 000005
【図４】
0005569702.tif 000006
【図５】
0005569702.tif 000007
【図６】
0005569702.tif 000008
【図７】
0005569702.tif 000009
【図８】
0005569702.tif 000010
【図９】
0005569702.tif 000011
【図１０】
0005569702.tif 000012
【図１１】
0005569702.tif 000013
【図１２】
0005569702.tif 000014
【図１３】
0005569702.tif 000015
【図１４】
0005569702.tif 000016